(57)【要約】【課題】  発信元情報を設定する場合の利便性が向上したネットワーク対応機器を提供すること。【解決手段】  送信者を識別する送信者識別情報が設定されるネットワーク対応機器において、送信者により送信者ＩＤが入力される送信者ＩＤ入力手段と、送信者ＩＤ入力手段により入力された送信者ＩＤに基づき、送信者識別情報が格納された送信者識別情報記憶手段から送信者識別情報を抽出する送信者識別情報抽出手段と、送信者識別情報抽出手段により抽出された送信者識別情報で、情報受信者へ情報を送信する情報送信手段とを有することを特徴とする。【選択図】  図６
2005094638.tif 000002
【特許請求の範囲】
【請求項１】
送信者を識別する送信者識別情報が設定されるネットワーク対応機器において、
前記送信者により送信者ＩＤが入力される送信者ＩＤ入力手段と、
前記送信者ＩＤ入力手段により入力された送信者ＩＤに基づき、前記送信者識別情報が格納された送信者識別情報記憶手段から前記送信者識別情報を抽出する送信者識別情報抽出手段と、
前記送信者識別情報抽出手段により抽出された前記送信者識別情報を、送信情報と共に受信者へ送信する情報送信手段と、
を有することを特徴とするネットワーク対応機器。
【請求項２】
前記送信者識別情報記憶手段は、前記ネットワーク対応機器又はネットワークに接続された送信者識別情報を提供する送信者識別情報提供サーバーが有する、
ことを特徴とする請求項１記載のネットワーク対応機器。
【請求項３】
前記送信者識別情報は、ファクシミリ機能により送信される文書の発信元情報であることを特徴とする請求項１又は２記載のネットワーク対応機器。
【請求項４】
前記送信者識別情報は、電子メールの発信元情報及び／又は電子メールの返信先情報であることを特徴とする請求項１又は２記載のネットワーク対応機器。
【請求項５】
ネットワーク対応機器により情報を送信する送信者に関する送信者識別情報を提供する送信者識別情報提供サーバーとネットワークを介して接続されたネットワーク対応機器とを有するネットワーク対応機器システムにおいて、
前記ネットワーク対応機器は、送信者ＩＤが入力される送信者ＩＤ入力手段と、
前記送信者ＩＤ入力手段により入力された送信者ＩＤを、前記送信者識別情報提供サーバーへ送出する送信者ＩＤ送出手段と、を有し、
前記送信者識別情報提供サーバーは、受信した前記送信者ＩＤに基づき前記送信者識別情報を抽出し、前記ネットワーク対応機器へ送出する送信者識別情報送出手段と、を有し、
前記ネットワーク対応機器は、受信した前記送信者識別情報を、送信情報と共に受信者へ送信する、
ことを特徴とするネットワーク対応機器システム。
【発明の詳細な説明】
【技術分野】
【０００１】
本発明は、ＬＡＮ、インターネット、通信回線網などのネットワークに対応したネットワーク対応機器に関し、特にファクシミリ装置、コピー機、プリンター及びこれらの複合機に関する。
【背景技術】
【０００２】
ファクシミリ装置やファクシミリ機能を備えた複合機は、複数の使用者により共有されて使用されることが多い。例えば、一台のファクシミリ装置を周囲に席を置く複数の営業担当社員と事務担当社員で共用するような利用形態が一般的である。
【０００３】
ファクシミリ装置で送信された紙面には、ファクシミリの送信者を表す発信者情報が表示されるが、一台のファクシミリ装置を共用する場合、発信元情報（ＴＴＩ）に記載される名称は、企業名や事業所名などで固定されていることが多い。送信者が発信元情報を例えば自己の氏名に置き換えたい場合は、企業名や事業所名を自己の氏名に変更する作業を行っている。
【０００４】
複数の発信元情報を使い分けたいという要望に対し、発信元情報を二つ登録できるよう第１ＴＴＩと第２ＴＴＩの二つの発信元情報を登録できるファクシミリ装置が提案されている（例えば、特許文献１参照。）。特許文献１のファクシミリ装置では、第１ＴＴＩに企業名を第２ＴＴＩに部署名を登録することや、第１ＴＴＩと第２ＴＴＩを日本語用と英語用に切り替えて使用することが可能となる。
【０００５】
また最近では、複写機やファクシミリ装置などの高機能化に伴い、使用者の操作も複雑化してきている。複数の使用者で複写機などを共有する場合、使用者は複写機などの設定のために、両面印刷機能、ステイプル機能、ソート機能など複雑な操作を行う必要があるが、操作の簡便性を高めるために、使用者毎に複写機などの使用環境を設定できるデジタル複合機が提案されている（例えば特許文献２参照。）。特許文献２記載のデジタル複合機では、携帯端末から取得した使用者の情報に基づき、予め登録してある使用者を認証し、使用者毎に機器の設定をカスタマイズすることが可能となる。
【特許文献１】特開２００１−４５１９０
【特許文献２】特開２００２−２０２８７０
【発明の開示】
【発明が解決しようとする課題】
【０００６】
しかしながら、特許文献１記載のファクシミリ装置のように、二つのＴＴＩを有していても、なお氏名など個々の送信者を識別する情報を登録するには十分でない。したがって、ファクシミリ装置を利用する度に発信者情報を変更する必要があり、入力ミスや入力に時間がかかるなどの問題がある。
【０００７】
また、ネットワーク対応のファクシミリ装置又は複合機は、ネットワークを介して電子メールを送信することが可能である。ネットワーク対応機器から電子メールを送信すると、ネットワーク対応機器の電子メールアドレスが送信者のメールアドレスとして記録される。したがって、このような電子メールを受信した受信者が当該電子メールを返信しても、電子メールの送信者は自己の電子メールアドレスで返信を受け取ることが期待できないという問題がある。
【０００８】
また、特許文献２記載の複写機やファクシミリ装置などのように、予め登録してある使用者の情報に応じて機器の操作設定をカスタマイズすると機器の操作に関しては利便性が向上する。しかしながら、ファクシミリ、電子メールなどを送信した場合に、発信元を示す情報については個々の使用者が個別に変更する必要があるという問題が残る。
【０００９】
本発明は、このような問題を解決するためのものであり、発信元情報を設定する場合の利便性が向上したネットワーク対応機器を提供することを目的とする。
【課題を解決するための手段】
【００１０】
上記問題を解決するため、請求項１記載の発明は、送信者を識別する送信者識別情報が設定されるネットワーク対応機器において、送信者により送信者ＩＤが入力される送信者ＩＤ入力手段と、送信者ＩＤ入力手段により入力された送信者ＩＤに基づき、送信者識別情報が格納された送信者識別情報記憶手段から送信者識別情報を抽出する送信者識別情報抽出手段と、送信者識別情報抽出手段により抽出した前記送信者識別情報を、送信情報と共に受信者へ送信する情報送信手段とを有することを特徴とする。
【００１１】
請求項１記載の発明によれば、ネットワーク対応機器で情報を送信する送信者が、送信者ＩＤを入力すれば、該送信者の例えば氏名などで情報が送信できる。
【００１２】
また、請求項２記載の発明は、送信者識別情報記憶手段は、ネットワーク対応機器又はネットワークに接続された送信者識別情報を提供する送信者識別情報提供サーバーが有することを特徴とする。
【００１３】
請求項２記載の発明によれば、送信者識別情報はネットワーク対応機器に格納されていてもよいし、ネットワークに接続されている送信者識別情報提供サーバーに格納されていてもよい。送信者識別情報提供サーバーに格納されていれば、個々のネットワーク対応機器の記憶容量に制限されずに送信者識別情報を格納できる。
【００１４】
また、請求項３記載の発明は、請求項１又は２記載のネットワーク対応機器において、送信者識別情報は、ファクシミリ機能により送信される文書の発信元情報であることを特徴とする。
【００１５】
また、請求項４記載の発明は、請求項１又は２記載のネットワーク対応機器において、送信者識別情報は、電子メールの発信元情報及び／又は電子メールの返信先情報であることを特徴とする。
【００１６】
請求項４記載の発明によれば、ネットワーク対応機器から電子メールを送信した場合、電子メールのアドレスをネットワーク対応機器の電子メールアドレスから送信者個人の電子メールアドレスに置き換えて送信できる。
【００１７】
また、請求項５記載の発明は、ネットワーク対応機器により情報を送信する送信者に関する送信者識別情報を提供する送信者識別情報提供サーバーとネットワークを介して接続されたネットワーク対応機器とを有するネットワーク対応機器システムにおいて、ネットワーク対応機器は、送信者ＩＤが入力される送信者ＩＤ入力手段と、送信者ＩＤ入力手段により入力された送信者ＩＤを、送信者識別情報提供サーバーへ送出する送信者ＩＤ送出手段とを有し、送信者識別情報提供サーバーは、受信した送信者ＩＤに基づき送信者識別情報を抽出し、ネットワーク対応機器へ送出する送信者識別情報送出手段とを有し、ネットワーク対応機器は、受信した送信者識別情報を送信情報と共に受信者へ送信することを特徴とする。
【００１８】
請求項５記載の発明によれば、ネットワーク対応機器で情報を送信する送信者が、送信者ＩＤを入力すれば、該送信者の例えば氏名などで情報が送信できる。
【００１９】
請求項１乃至５において、送信者ＩＤとは、送信者毎に定められたユーザーコードやパスワードをいうが、生体認証情報、ＩＣカードやＩＣタグなどにより識別されるとしてもよい。また、送信者識別情報とは、送信者を識別させるプロフィール、電子メールアドレス、電話・ＦＡＸ番号などを言うが、情報の内容は設計事項としてもよい。
【発明の効果】
【００２０】
発信元情報を設定する場合の利便性が向上したネットワーク対応機器を提供することができる。
【発明を実施するための最良の形態】
【００２１】
以下、本発明を実施するための最良の形態について、添付図面を参照しながら実施例を上げて説明する。なお、ファクシミリ装置やネットワーク対応機器自体の動作原理、及び基本的な制御手法などは当業者には既知であるため、詳しい説明を省略する。
【実施例１】
【００２２】
始めに本実施例のシステム構成について説明する。図１は、本実施例の全体構成図の一例である。図１の全体構成図では、ローカルエリアネットワーク（以下、単にＬＡＮと称す）１０１に、パソコン１０２、ファクシミリやプリンター、複写機、又はこれらの複合機などであるネットワーク対応機器１０４及び１０５、電子メールの送受信や管理を行う電子メールサーバー１０９、送信者がネットワーク対応機器を操作する際の送信者毎の設定情報を管理する設定情報管理サーバー１０８、ネットワーク対応機器を通じて送信者の認証要求を処理する認証サーバー１１０が示されている。また、ＬＡＮ１０１はインターネット１１１を介してパソコン１０３やネットワーク対応機器１０７とも電気的に接続可能である。さらに、ファクシミリ装置またはファクス機能を持つネットワーク対応機器は、ＰＳＴＮ（Public Switched Telephone Network）又はＩＳＤＮ（Integrated Services Digital Network）ネットワークを通じて、ファクスの送受信を行うことができるよう電話網１１２に接続されている。なお、設定情報管理サーバー１０８は、特許請求の範囲で用いられた送信者識別情報提供サーバーの機能を有するサーバーである。
【００２３】
ネットワーク対応機器１０４及び１０５は、ＬＡＮインターフェイスを備えているので、ＬＡＮ１０１上の他の機器やパソコン１０２とも電子メールの送受信をすることが可能である。また、図１ではＬＡＮ１０１がインターネット１１１に接続されているので、ＬＡＮ１０１に接続されたパソコン１０２やネットワーク対応機器１０４等は、インターネットに接続されている他のネットワーク機器１０７やパソコン１０３等と電子メールの送受信が可能である。
【００２４】
認証サーバー１１０は、ネットワーク対応機器を利用する送信者から各ネットワーク対応機器を通じて要求される認証要求を処理するサーバーである。例えば送信者により入力されたパスワードと利用者ＩＤが認証サーバーに格納されているものと一致するか否かを検証し送信者を認証する。
【００２５】
設定情報管理サーバー１０８は、送信者毎にネットワーク対応機器の設定情報を記憶しているサーバーである。図１では、認証サーバー１１０と設定情報管理サーバー１０８は、ネットワーク上に独立したサーバーとして表示されているが、送信者毎の利用者ＩＤと設定情報は、個々のネットワーク対応機器内の記憶装置に記憶されていてもよい。しかしながら、ネットワーク対応機器とは別に独立した構成として設定情報管理サーバー１０８を設けることで、登録できる送信者の数又は設定情報の量がネットワーク対応機器の記憶容量により制限されない。また、ネットワークに接続した他のネットワーク対応機器からも送信者毎の設定情報にアクセスできる。また、送信者毎の設定情報を一度入力すれば他のネットワーク対応機器でも該設定情報を利用でき、保守作業も容易になる。
【００２６】
なお、認証サーバー１１０と設定情報管理サーバー１０８は、別々のサーバーとして図示されているが、物理的にひとつのサーバー装置がこれらの機能を実装していてもよい。
【００２７】
続いて、ネットワーク対応機器の機能構成について説明する。図２はネットワークに対応したファクシミリ機能を有する複合機の内部構成図の一例を示す。図２で説明される複合機の内部構成図は、本実施例における一般的な複合機の機能構成図であり、複合機によっては他の機能が付加されることや、常には使用されない機能があり得る。
【００２８】
図２のネットワーク対応機器は、ＣＰＵ（中央処理装置）２０１、ＲＯＭ（Ｒｅａｄ Ｏｎｌｙ Ｍｅｍｏｒｙ）２０２、ＲＡＭ（Ｒａｍｄａｍ Ａｃｃｅｓｓ Ｍｅｍｏｒｙ）２０３、時間を制御するタイマ制御部２０４、図示しない操作部とのインターフェイスをとるオペポートI/F部２０５、図示しないハードディスクとインターフェイスするハードディスクI/F部２０６、ファクシミリ通信を制御する通信制御部２０７、ＰＳＴＮと電気的インターフェイスをとる網制御部２０８、ファクシミリ通信に必要な画像情報の圧縮、伸長を行う符号・復号化部２０９、図示しないスキャナとインターフェイスをとるスキャナI/F部２１０、図示しないプロッタ部とインターフェイスをとるプロッタI/F部２１１、電源断に対して情報を保持するＳＲＡＭ（スタティックＲＡＭ）２１２、ＬＡＮ通信制御部２１３、文字のフォント情報を保持するキャラクタジェネレータ２１４、送信者毎の設定情報を記憶する記憶装置２１５、を有する。
【００２９】
ＬＡＮ通信制御部２１３は物理層としてEthernet（登録商標）（イーサネット（登録商標））に対応し、TCP/IPプロトコルやＭＩＭＥ(Multi-purpose Internet Mail Extensions)変換、ＳＭＴＰ（Simple Mail Transfer Protocol）機能により電子メールのための通信を行う。またＷｅｂサイトにアクセスするためのＨＴＴＰプロトコルを実装している。また、ＬＡＮ通信制御部２１３は、Ｗｅｂサービスインターフェイス（Ｗｅｂ Ｓｅｒｖｉｃｅ Ｉｎｔｅｒｆａｃｅ）を提供するために、XMLデータを解析するＸＭＬパーサー(ｅＸｔｅｎｓｉｂｌｅ  Ｍａｒｋｕｐ Ｌａｎｇｕａｇｅ Ｐａｒｓｅｒ)やＳＯＡＰ（Ｓｉｍｐｌｅ Ｏｂｊｅｃｔ Ａｃｃｅｓｓ Ｐｒｏｔｏｃｏｌ）を実装している。なお、Ｗｅｂサービスとは、ネットワークに接続されたコンピュータなどがＳＯＡＰとＸＭＬを利用してメッセージの交換を行うことで、インターネット上に分散した各種のサービスを相互利用するための技術をいうが、当業者には既知であるため詳しい説明は省略する。
【００３０】
これらの構成により、図１のネットワーク対応機器１０２は、ＲＯＭ２０２に内蔵されたプログラムによりスキャナーで走査された画像をスキャナＩ／Ｆ部２１０を通してＲＡＭ２０３に一時的に保持し、符号・復号化部２０９で符号化し、網制御部２０８又はＬＡＮ通信制御部２１３を介して、相手に送信する。
【００３１】
図３は、ネットワーク対応機器のソフトウェアブロック図の一例を示す。図３のソフトウェアブロック図は、文書の印刷を制御する印刷制御部３０１、文書を光学的に走査するスキャナを制御するスキャナ制御部３０２、送信者からの入力や操作が行われるオペレーションパネルを制御するオペレーションパネル制御部３０３、ファクシミリの送受信を行うためのＦＡＸプロトコル３０４、ＦＡＸプロトコル３０４に基づきモデムを制御するモデム制御部３０５、電子メールの送受信を制御するメール制御部３０６、ネットワークとの接続を制御するＬＡＮ制御部３０７を有する。これらのソフトウェアブロックはデータの流れを制御するデータ制御部３０９を介して接続されている。なお、ＬＡＮ制御部３０７は、ＴＣＰ／ＩＰなどのプロトコルにしたがい入出力チャネルを制御するためのＬＡＮドライバ３０８を有する。
【００３２】
以上の構成に基づいて、送信者毎にファクシミリ機能を有するネットワーク対応機器の発信元名称を設定する方法について説明する。送信者毎に発信元名称を置き換えるためには、送信者を識別しなければならないので、まず送信者の識別方法について説明する。
【００３３】
本実施例ではネットワーク対応機器が有する送信者識別の方法として、ユーザーコードを利用する。ユーザーコードとは、送信者を識別するために送信者を一意的に特定する数字やアルファベットなどから構成された文字列である。予め、送信者は自己を識別するユーザーコードを図１のネットワーク対応機器１０４のオペレーションパネルやネットワークに接続されたパソコン１０２から入力することにより、ネットワーク対応機器１０４内部の記憶装置又は設定情報管理サーバー１０８にユーザーコードを登録しておく。
【００３４】
図４は、設定情報管理テーブルの一例を示す図である。図４の設定情報管理テーブルには、送信者毎に、利用者ＩＤ、ユーザーコード、発信元名称、課金情報の登録欄が設けられている。利用者ＩＤを例えば社員番号や通し番号などで管理し、利用者ＩＤ毎にユーザーコード、発信元名称を対応させる。課金情報には、当該送信者が利用した時間や回数に応じて料金が記録される。
【００３５】
図４の設定情報管理テーブルを用いれば、送信者が、ネットワーク対応機器を利用する際にユーザーコードを入力することで送信者が認識される。ネットワーク対応機器は、当該ユーザーコードに該当する発信元名称を設定情報管理テーブルから取得する。発信元名称が表示される通信媒体としてはファクシミリ装置が一般的だが、ネットワークを介して情報の送信が可能な装置であればどのようなネットワーク対応機器で利用してもよい。
【００３６】
なお、自己の発信元名称で置き換えたくなければ、ユーザーコードを入力しなくてもよい。これにより、例えばデフォルト設定の企業名などが発信元名称に印刷されたファクシミリの送信が可能となる。また、他の送信者に替わってファクシミリ送信を行う場合には、他の送信者のユーザーコードを入力することで、発信元名称を置き換えることができる。また、発信元名称だけでなくその他の情報とユーザーコードと対応させたい場合には、図４の設定情報管理テーブルに該情報を追加する。
【００３７】
送信者を識別する場合には、図４のようにユーザーコードを入力するだけでもよいし、他の送信者によるユーザーコードの使用を排除できるように、パスワードを用いてもよい。
【００３８】
図５は、パスワードを用いて送信者を識別する場合の設定情報管理テーブルの一例を示す図である。図４のユーザーコード方式では、単一の文字列のマッチングを行うことで送信者を識別および認証していたが、図５のようにユーザー名とパスワードの組み合わせに基づき送信者を識別することで、ユーザー名を誤って入力した場合にはパスワードが適合しないので、より安全性を高めることができる。図５では、パスワードの列は暗号化されて登録されている例として“＊＊＊＊＊＊”で表示されている。
【００３９】
送信者を識別する方法としては、パスワード以外にも、指紋、掌紋、手形、手の甲の静脈、虹彩、顔、音声などのバイオメトリクスを利用したバイオメトリクス認証（生体認証）を適用してもよい。また、ＩＣカードやＩＣタグなどを有する送信者がネットワーク対応機器と所定の距離に近づくことで自動的に認識されてもよい。
【００４０】
次に、送信者毎に発信元名称を置き換えるネットワーク対応機器が行う処理について説明する。図６は、送信者毎に発信元名称を置き換えるファクシミリ装置又は複合機の処理を示すフローチャート図である。まず、ファクシミリ装置又は複合機は、オペレーションパネルから送信者により入力された、ユーザーコード、又はユーザー名とパスワードの入力を受け付ける（Ｓ６０１）。ファクシミリ装置又は複合機は、ファクシミリ装置本体の記憶装置にある図４または図５の設定情報管理テーブルを検索し、送信者が入力したユーザーコード、またはユーザー名とパスワードがテーブルに存在するか調べる（Ｓ６０２）。
【００４１】
送信者が入力したユーザーコード又はユーザー名とパスワードがテーブルに存在しない場合は（Ｓ６０３のＮｏ）、送信者として登録されていないためファクス送信ができない旨をオペレーションパネルなどに表示する（Ｓ６０５）。送信者が入力したユーザーコード又はユーザー名とパスワードがテーブルに存在する場合は（Ｓ６０４のＹＥＳ）、図４又は図５の設定情報管理テーブルの発信元名称の欄に記載された情報に従って、ファクス送信時に受信側に送信する発信元名称を置き換える（Ｓ６０６）。送信者が入力したユーザーコード、またはユーザー名とパスワードがテーブルに存在しない場合は（Ｓ６０４のＮｏ）、ファクシミリ装置に設定されているデフォルトの発信元名称のままファックスを送信する（Ｓ６０７）。
【００４２】
図６のフローチャートに基づく処理の結果、送信したファクシミリに表示される発信元名称を図７に示す。図７（ａ）は、図４の設定情報管理テーブルにおいてユーザーコード「１１１１２２２２３３３」を入力した場合にファクシミリに表示される発信元名称を、図７（ｂ）はユーザーコード「１２３４５６ＡＢＣＤ」を入力した場合にファクシミリに表示される発信元名称を示す。なお、本実施例では、デフォルトの発信元名称を個々のユーザー名などで置き換えるとしたが、デフォルトの発信元名称に付加する形態としてもよい。
【００４３】
以上により、一台のファクシミリ装置を共有する場合でも送信者毎に発信元名称を置き換えることができる。送信者は、ファクシミリ装置を使用するたびに自己の発信者名称を入力する必要がないため、一台のファクシミリ装置を共有する場合の利便性が向上する。
【実施例２】
【００４４】
実施例１では、ファクシミリ装置で印刷される発信元名称を置き換えるネットワーク対応機器について説明した。実施例２では、電子メールの電子メールヘッダ情報における発信元情報を置き換えられるネットワーク対応機器について説明する。
【００４５】
ファクシミリ装置又は複合機などのネットワーク対応機器は、インターネットを介して電子メールを送信する機能を有することも多い。このようなファクシミリ装置では、電子メール型のインターネットファクス機能を有し、例えばスキャナで読み取った原稿を添付ファイルとし、該添付ファイルを添付した電子メールを送信することができる。
【００４６】
図８は、ネットワークに対応したファクシミリ装置又は複合機が送信した電子メールヘッダ情報の一例を示す。電子メールの発信元情報は、電子メールヘッダ情報のＦＲＯＭフィールドに記載される。ネットワーク対応機器から電子メールを送信した場合、電子メールのＦＲＯＭフィールドは、当該ネットワーク対応機器に設定される。したがって、このような電子メールを受信した受信者が、電子メールソフトなどで当該電子メールを表示すると、送信者欄にはネットワーク対応機器のメールアドレスであるｉｆａｘ＠ｒｉｃｏｈ．ｃｏ．ｊｐが表示される。本実施例では、該電子メールアドレスを送信者毎に送信者の電子メールアドレスで置き換える。
【００４７】
本実施例で用いる設定情報管理テーブルについて説明する。図９は、送信者毎の電子メールアドレスを有する設定情報管理テーブルの一例を示す図である。図４の設定情報管理テーブルとは、ＦＲＯＭ欄を有し、ＦＲＯＭ欄にはユーザーコードに対応した電子メールアドレスが記載されている点で異なる。ＦＲＯＭ欄に記載された電子メールアドレスにより、電子メール送信時に電子メールのヘッダ情報のＦＲＯＭフィールドが置き換えられる。
【００４８】
図９の設定情報管理テーブルを用いて、電子メールのヘッダ情報を置き換える処理について説明する。図１０は、ファクシミリ装置が送信者毎に電子メールのヘッダ情報のＦＲＯＭフィールドを置き換える処理を示すフローチャート図である。
【００４９】
まず、ファクシミリ装置又は複合機は、オペレーションパネルから送信者が入力した、ユーザーコードの入力を受け付ける（Ｓ６０１）。ファクシミリ装置又は複合機は、ファクシミリ装置本体の記憶装置にある図９の設定情報管理テーブルを検索し、送信者が入力したユーザーコードがテーブルに存在するか調べる（Ｓ６０２）。送信者が入力したユーザーコードがテーブルに存在しない場合は（Ｓ６０３のＮｏ）、送信者として登録されていないため電子メールの送信ができない旨をオペレーションパネルなどに表示する（Ｓ１００５）。
【００５０】
送信者により入力されたユーザーコードが設定情報管理テーブルに登録されている場合は（Ｓ６０３のＹＥＳ）、ファクシミリ装置又は複合機は図９の設定情報管理テーブルのＦＲＯＭ欄に記載された電子メールアドレスに従って、電子メールのヘッダ情報のＦＲＯＭフィールドを置き換える（Ｓ１００４のＹｅｓ、Ｓ１００６）。送信者が入力したユーザーコードテーブルに存在しない場合は（Ｓ１００４のＮｏ）、ファクシミリ装置に設定されているデフォルトの電子メールアドレスを電子メールのヘッド情報のＦＲＯＭフィールドに設定し電子メールを送信する（Ｓ１００７）。
【００５１】
図１０のフローチャートに基づく処理の結果、送信した電子メールのヘッダ情報に表示されるＦＲＯＭフィールドの一例を図１１に示す。図１１は、図９の設定情報管理テーブルを用い、ユーザーコード「１１１１２２２２３３３」を入力した場合にＦＲＯＭフィールドが置き換えられたヘッダ情報の例を示す図である。ユーザーコード「１１１１２２２２３３３」に対応した電子メールsuzuki@mail.ricoh.co.jp.がＦＲＯＭフィールドに表示されている。
【００５２】
以上により、一台のファクシミリ装置を共有し、電子メールを送信する場合でも、送信者毎に電子メールのヘッダ情報のＦＲＯＭフィールドを置き換えることができ、利便性の向上したネットワーク対応機器を提供できる。
【実施例３】
【００５３】
実施例３では、実施例２と同様に、送信された電子メールのヘッダ情報における返信先情報を置き換えるネットワーク対応機器について説明する。
【００５４】
電子メールのヘッダ情報のＲｅｐｌｙ−Ｔｏフィールドは、受信した電子メールを返信する場合に、通常返信先メールアドレスとされる電子メールのアドレスをいう。ネットワーク対応機器から電子メールを送信した場合、電子メールのヘッダ情報のＲｅｐｌｙ−Ｔｏフィールドには、当該ネットワーク対応機器の電子メールアドレスに設定される。したがって、このような電子メールを受信した受信者が、電子メールソフトなどで当該電子メールに基づき返信すると、送信者は返信された電子メールを受信することを期待できない。
【００５５】
本実施例では、Ｒｅｐｌｙ−Ｔｏ欄に記載される電子メールのメールアドレスを送信者毎に置き換えるネットワーク対応機器について説明する。
【００５６】
図１２は、本実施例で用いる設定情報管理テーブルの一例を示す図である。図１２の設定情報管理テーブルは、Ｒｅｐｌｙ−Ｔｏ欄を有する点で図９の設置情報管理テーブルと異なる。Ｒｅｐｌｙ−Ｔｏ欄に記載された電子メールアドレスは、電子メール送信時に電子メールのヘッダ情報のＲｅｐｌｙ−Ｔｏフィールドを置き換えるための電子メールアドレスである。
【００５７】
図１２の設定情報管理テーブルを用いて、電子メールのヘッダ情報のＲｅｐｌｙ−Ｔｏフィールドを置き換える処理について説明する。図１３は、ファクシミリ装置又は複合機が送信者毎に電子メールのヘッダ情報のＲｅｐｌｙ−Ｔｏフィールドを置き換える処理を示すフローチャート図である。なお、図１３は、電子メールのヘッダ情報のＦＲＯＭフィールドをＲｅｐｌｙ−Ｔｏフィールドとした点のみ図１０と異なるため、図１３において図１０と同一ステップについては同一の符号を付し、その説明は省略する。
【００５８】
送信者によりユーザーコードが入力されると、ファクシミリ装置又は複合機は、ファクシミリ装置本体の記憶装置にある図１２の設定情報管理テーブルを検索し、送信者が入力したユーザーコードがテーブルに存在するか調べる（Ｓ６０２）。ユーザーコードが設定情報管理テーブルに登録されている場合は（Ｓ６０３のＹＥＳ）、図１２の設定情報管理テーブルのＲｅｐｌｙ−Ｔｏ欄に記載された電子メールアドレスに従って、電子メールのヘッダ情報のＲｅｐｌｙ−Ｔｏフィールドを置き換える（Ｓ１３０４のＹｅｓ、Ｓ１３０６）。送信者が入力したユーザーコードがテーブルに存在しない場合は（Ｓ１３０４のＮｏ）、ファクシミリ装置に設定されているデフォルトの電子メールアドレスを電子メールのヘッド情報のＲｅｐｌｙ−Ｔｏフィールドに設定し電子メールを送信する（Ｓ１３０７）。
【００５９】
図１３のフローチャートの処理の結果、送信した電子メールのヘッダ情報に表示されるＲｅｐｌｙ−Ｔｏフィールドの一例を図１４に示す。図１４は、図１２の設定情報管理テーブルを用い、ユーザーコード「１１１１２２２２３３３」を入力した場合の電子メールのヘッダ情報の例を示す図である。ユーザーコード「１１１１２２２２３３３」に対応したＲｅｐｌｙ−Ｔｏ欄の電子メールアドレスsuzuki@mail.ricoh.co.jpがＲｅｐｌｙ−Ｔｏフィールドに、ＦＲＯＭ欄の電子メールアドレスsuzuki@mail.ricoh.co.jpがＦＲＯＭフィールドに表示されている。なお、Ｒｅｐｌｙ−Ｔｏフィールドのみを置き換えてもよい。
【００６０】
以上により、一台のファクシミリ装置を共有し、電子メールを送信する場合でも、送信者毎に電子メールのヘッダ情報のＲｅｐｌｙ−Ｔｏフィールドを置き換えることができ、利便性の向上したネットワーク対応機器を提供できる。
【実施例４】
【００６１】
これまでの実施例では、ネットワーク対応機器の記憶装置に図５のような設定情報管理テーブルが記憶されていた。本実施例では、図１の設定情報管理サーバー１０８に設定情報管理テーブルが記憶されている場合について説明する。
【００６２】
始めにネットワーク対応機器と設定情報管理サーバー１０８又は認証サーバー１１０との通信方法について説明する。ネットワーク対応のファクシミリ装置または複合機は、独自のプロトコルでサーバーなどと通信することも可能であるし、標準的なプロトコルを採用することも可能である。標準的なプロトコルを採用した場合は、オープンシステムと接続し情報交換などの連携を行うことが可能となる。
【００６３】
例えば、設定情報管理テーブルをＸＭＬ（ｅＸｔｅｎｓｉｂｌｅ  Ｍａｒｋｕｐ Ｌａｎｇｕａｇｅ）で記述すれば、標準的なプロトコルＳＯＡＰ（Ｓｉｍｐｌｅ Ｏｂｊｅｃｔ Ａｃｃｅｓｓ Ｐｒｏｔｏｃｏｌ）を利用できる。ＸＭＬとＳＯＡＰ技術を用いれば、Ｗｅｂサービスを利用して外部機器との通信を実現でき、ネットワーク対応機器が、認証サービス、設定サービスを他のシステムと連携して行い易くなることが期待できる。
【００６４】
本実施例では、送信者の認証および発信元情報の置き換えを、Ｗｅｂサービスを用いて行うネットワーク対応機器について説明する。
【００６５】
図１５は、Ｗｅｂサービスを用いて送信者毎に発信元情報を置き換えるファクシミリ装置又は複合機が行う処理を示すフローチャート図である。なお、設定情報管理テーブルは、図５と同じものを用いる。
【００６６】
まず、ファクシミリ装置又は複合機は、送信者によりオペレーションパネルから入力されたユーザー名とパスワードを受け付ける（Ｓ６０１）。次にファクシミリ装置又は複合機は、ファクシミリ装置が接続されているＬＡＮ内の認証サーバー１１０又はインターネット１１１を経由して認証サーバー１１０に接続する（Ｓ１５０２）。認証サーバー１１０は、ユーザー名及びパスワードに基づいて送信者を認証し、認証できた場合には該ユーザーの設定情報が登録されている設定情報管理サーバー１０８のアドレスを指示するディレクトリサーバーとして機能する。このためＳ１５０２では、ディレクトリサーバーを検索すると記した。
【００６７】
ファクシミリ装置又は複合機は、Ｗｅｂサービスを利用して認証サーバー１１０に接続し、送信者が入力したユーザー名とパスワードがデータベースに存在するか否か調べる。送信者が入力したユーザー名とパスワードが認証サーバー１１０に存在しない場合は（Ｓ１５０３のＮｏ）、ファクス送信又は電子メールの送信が出来ない旨をオペレーションパネルに表示する（Ｓ１５０６）。
【００６８】
送信者が入力したユーザー名とパスワードが認証サーバー１１０に存在する場合は（Ｓ１５０３のＹＥＳ）、再度Ｗｅｂサービスを利用して今度は設定情報管理サーバー１０８に接続し、当該送信者の発信元情報を検索する。
【００６９】
ファクシミリ装置又は複合機は、Ｗｅｂサービスによって該送信者の設定情報を受けとり、ファクシミリ送信の発信元名称又は電子メールのヘッダ情報を置き換える（Ｓ１５０７）。
【００７０】
送信者が入力したユーザー名とパスワードがデータベースに存在しない場合は（Ｓ１５０５のＮｏ）、ファクシミリ送信の発信元名称又は電子メールのヘッダ情報をファクシミリ装置に設定されているデフォルトの内容に設定しファクシミリ又は電子メールを送信する（Ｓ１５０８）。
【００７１】
本実施例では、ネットワーク対応機器内部の記憶容量による制限を受けることなく設定情報管理テーブルに発信元情報を登録でき、また、複数のネットワーク対応機器で同じ設定情報を参照することが可能となる。また、Ｗｅｂサービスを利用することで、オープンシステムとの親和性を向上させたネットワーク対応機器を提供できる。
【図面の簡単な説明】
【００７２】
【図１】全体構成図の一例を示す図である。
【図２】ネットワークに対応したファクシミリ機能を有する複合機の内部構成図の一例である。
【図３】ネットワークに対応したファクシミリ機能を有する複合機のソフトウェアブロック図の一例である。
【図４】設定情報管理テーブルの一例を示す図である。
【図５】設定情報管理テーブルの一例を示す図である。
【図６】送信者毎に発信元名称を置き換えるファクシミリ装置又は複合機の処理を示すフローチャート図の一例である。
【図７】発信元名称が置き換えられたファクシミリの印刷例を示す図である。
【図８】ネットワークに対応したファクシミリ装置又は複合機が送信した電子メールヘッダ情報の一例を示す図である。
【図９】設定情報管理テーブルの一例を示す図である。
【図１０】送信者毎にヘッダ情報のＦＲＯＭフィールドを置き換えるファクシミリ装置又は複合機の処理を示すフローチャート図の一例である。
【図１１】電子メールのヘッダ情報に表示されるＦＲＯＭフィールドの一例を示す図である。
【図１２】設定情報管理テーブルの一例を示す図である。
【図１３】送信者毎にヘッダ情報のＲｅｐｌｙ−Ｔｏフィールドを置き換えるファクシミリ装置又は複合機の処理を示すフローチャート図の一例である。
【図１４】電子メールのヘッダ情報に表示されるＲｅｐｌｙ−Ｔｏフィールドの一例を示す図である。
【図１５】Ｗｅｂサービスを用いて送信者毎に発信元情報を置き換えるファクシミリ装置又は複合機が行う処理を示すフローチャート図である。
【符号の説明】
【００７３】
１０１  ローカルエリアネットワーク（ＬＡＮ）
１０２  パソコン
１０４〜１０７  ネットワーク対応機器
１０８  設定情報管理サーバー
１０９  電子メールサーバー
１１０  電話網
２０７  通信制御部
２０８  網制御部
２０９  符号・復号化部
２１０  スキャナＩ／Ｆ部
２１３  ＬＡＮ通信制御部
２１５  記憶装置２１５
【図１】
2005094638.tif 000003
【図２】
2005094638.tif 000004
【図３】
2005094638.tif 000005
【図４】
2005094638.tif 000006
【図５】
2005094638.tif 000007
【図６】
2005094638.tif 000008
【図７】
2005094638.tif 000009
【図８】
2005094638.tif 000010
【図９】
2005094638.tif 000011
【図１０】
2005094638.tif 000012
【図１１】
2005094638.tif 000013
【図１２】
2005094638.tif 000014
【図１３】
2005094638.tif 000015
【図１４】
2005094638.tif 000016
【図１５】
2005094638.tif 000017